(57)【要約】【課題】開度規制部材と吸い込みグリルとを固定するネジをはずしても前記吸い込みグリルが前に倒れてこないし，前記開度規制部材と前記吸い込みグリルを固定する位置がずれないので，前記吸い込みグリル開閉の際の操作性を向上し，また安全性に配慮された空気調和機を提供することにある。【解決手段】吸い込みグリルの開度が規制された空気調和機であって，開度規制部材に係止孔が形成され，且つ前記吸い込みグリルに前記係止孔と係合する係止突起が形成され，前記開度規制部材は，少なくともその本体と，該開度規制部材本体の横断面積より小さい断面形状からなるガイド突起とを備えてなり，更に筐体に，前記ガイド突起を案内する前記吸い込みグリルの開閉方向の長孔が形成され，前記ガイド突起が前記長孔の端部に当接することにより，前記吸い込みグリルの第１の開放位置における開度規制が行われてなることを特徴とする空気調和機として構成される。【選択図】図３
2007155265.tif 000002
【特許請求の範囲】
【請求項１】
空気の吸い込み口が設けられた筐体と，前記筐体に設けられた吸い込み口から吸い込まれた異物を除くためのフィルターを備え前記筐体の吸い込み口に開閉自在に設けられた吸い込みグリルと，前記筐体と係合することにより前記筐体と前記吸い込みグリルとを連結し，前記吸い込みグリルが第１の開放位置までしか開かないよう前記筐体と前記吸い込みグリルとの開度を規制する開度規制部材とを含んでなり，前記連結を外すことにより前記規制が解除され，前記第１の開放位置より大きく開放された第２の開放位置まで前記吸い込みグリルを開放することが可能な空気調和機であって，
前記開度規制部材に係止孔又は係止突起が形成され，且つ前記吸い込みグリルに前記開度規制部材に形成された係止孔又は係止突起と係合する係止突起又は係止孔が形成され，
前記開度規制部材は，少なくともその本体と，該開度規制部材本体の前記筐体側端部に設けられ，該開度規制部材本体の横断面積より小さい断面形状からなるガイド突起とを備えてなり，
更に前記筐体に，前記ガイド突起を案内する前記吸い込みグリルの開閉方向の長孔が形成され，前記ガイド突起が前記長孔の端部に当接することにより，前記吸い込みグリルの前記第１の開放位置における開度規制が行われてなることを特徴とする空気調和機。
【請求項２】
前記吸い込みグリルに形成された係止突起又は係止孔が，前記開度規制部材に形成された係止孔又は係止突起と係合することにより，前記開度規制部材が前記吸い込みグリルに係止されてなる請求項１に記載の空気調和機。
【請求項３】
前記開度規制部材が弾性部材である請求項１又は２のいずれかに記載の空気調和機。
【請求項４】
前記開度規制部材が，前記吸い込みグリルに取り付けられる前記フィルターを略縦方向に案内する縦方向溝部を更に備えてなるものである請求項１〜３のいずれかに記載の空気調和機。
【請求項５】
当該空気調和機が床置型である請求項１〜４のいずれかに記載の空気調和機。
【発明の詳細な説明】
【技術分野】
【０００１】
本発明は，空気調和機に関し，特に，吸い込みグリルの開度規制構造に関するものである。
【背景技術】
【０００２】
従来の床置型空気調和機に備えられている吸い込みグリルには，吸い込んだ空気の異物を除くためのフィルターが備えられており，前記床置型空気調和機を稼動させることにより前記フィルターに異物が付着し空気の吸い込み機能を低下させる場合がある。そのため，前記フィルターの交換を行うことができるよう，前記吸い込みグリルは開閉自在とする必要がある。そのため，保守などで，前記床置型空気調和機の内部を点検できるように，前記吸い込みグリルを全開できるようにした床置型空気調和機が従来より存在する。しかしながら，前記吸い込みグリルを開閉自在とした場合，開口部から手を中に挿入し，前記床置型空気調和機の内部に備えられている送風機などの回転ファンに誤って手を巻き込まれるおそれがあった。
そのため，従来から，フィルターの交換は可能であるが手を内部に挿入することは不可能であるような半開きである第１の開放位置まで前記吸い込みグリルを開放できるよう開度を規制することができ，また，前記開度の規制を解除することにより前記第１の開放位置より大きく開放されたいわば全開の第２の開放位置まで前記吸い込みグリルを開放することが可能な床置型空気調和機が提案されている。
特許文献１に記載の床置型空気調和機では，筐体と吸い込みグリルとを連結し前記吸い込みグリルの開度を第１の開放位置で規制する開度規制部材が，Ｕ字状の部材で構成されている。前記筐体側に備えられた係止棒が，前記開度規制部材の上下の直線部に挟まれ，前記開度規制部材のＵ字部に当接することにより，前記開度規制部材は，前記吸い込みグリルを第１の開放位置まで開放することができる。また，前記開度規制部材の前記吸い込みグリル側の端部に取り付けられ，前記開度規制部材と前記吸い込みグリルとを固定するネジをはずすことにより前記開度の規制が解除され，前記吸い込みグリルを第２の開放位置まで開放することができる。
特許文献２に記載の床置型空気調和機では，開度規制部材は，筐体に設けられた係止孔に挿入され前記係止孔より大きい係止具が前記係止孔に当接することにより開度を規制する係止部と，吸い込みグリルに設けられ上端が開放された切欠孔が設けられた取り付け具とを有している。前記係止部の端部には，前記取り付け具に設けられた切欠孔と係合するネジが設けられている。前記切欠孔を挟み込み，ネジで固定すれば，前記開度規制部材は，前記吸い込みグリルを第１の開放位置まで開放することができる。前記切欠孔と係合するネジをゆるめ，前記取り付け具を前記係止部からはずすと，前記吸い込みグリルは第２の開放位置まで開放することができる。
【特許文献１】特開２０００−８８２７８号公報
【特許文献２】特開平１０−１４１６９８号公報
【発明の開示】
【発明が解決しようとする課題】
【０００３】
しかしながら，特許文献１に記載の空気調和機では，第２の開放位置まで前記吸い込みグリルを開放する際，前記開度規制部材と前記吸い込みグリルとが固定されている複数のネジのうち，１箇所のネジをはずすと，前記吸い込みグリルが前に倒れてきて，残りの固定されたネジをはずしにくいという問題があった。
一方，特許文献２に記載の空気調和機に設けられた開度規制部材では，前記吸い込みグリル開閉の際，前記開度規制部材本体が，前記筐体の前記係止孔を移動するので，前記係止孔の縁とこすれ，接触面積が大きいことから摩擦力が大きく，操作性が悪いという問題があった。
従って，本発明は前記事情に鑑みてなされたものであり，その目的とするところは，開度規制部材と吸い込みグリルとを固定するネジをはずしても前記吸い込みグリルが前に倒れてこないし，前記開度規制部材と前記吸い込みグリルを固定する位置がずれないので，前記吸い込みグリル開閉の際の操作性を向上し，また安全性にも配慮された空気調和機を提供することにある。
【課題を解決するための手段】
【０００４】
前記目的を達成するために本発明は，空気の吸い込み口が設けられた筐体と，前記筐体に設けられた吸い込み口から吸い込まれた異物を除くためのフィルターを備え前記筐体の吸い込み口に開閉自在に設けられた吸い込みグリルと，前記筐体と係合することにより前記筐体と前記吸い込みグリルとを連結し，前記吸い込みグリルが第１の開放位置までしか開かないよう前記筐体と前記吸い込みグリルとの開度を規制する開度規制部材とを含んでなり，前記連結をはずすことにより前記規制が解除され，前記第１の開放位置より大きく開放された第２の開放位置まで前記吸い込みグリルを開放することが可能な空気調和機であって，前記開度規制部材に係止孔又は係止突起が形成され，且つ前記吸い込みグリルに前記開度規制部材に形成された係止孔又は係止突起と係合する係止突起又は係止孔が形成され，前記開度規制部材は，少なくともその本体と，該開度規制部材本体の前記筐体側端部に設けられ，該開度規制部材本体の横断面積より小さい断面形状からなるガイド突起とを備えてなり，更に前記筐体に，前記ガイド突起を案内する前記吸い込みグリルの開閉方向の長孔が形成され，前記ガイド突起が前記長孔の端部に当接することにより，前記吸い込みグリルの前記第１の開放位置における開度規制が行われてなることを特徴とする空気調和機として構成されている。
具体的には，前記吸い込みグリルに形成された係止突起又は係止孔が，前記開度規制部材に形成された係止孔又は係止突起と係合することにより，前記開度規制部材が前記吸い込みグリルに係止されている。
このように，前記開度規制部材に係止孔又は係止突起が形成され，且つ前記吸い込みグリルに前記開度規制部材に形成された係止孔又は係止突起と係合する係止突起又は係止孔が形成されることによって，前記開度規制部材と前記吸い込みグリルとをネジで固定する前に，前記係止孔に前記係止突起を係合させることにより，前記開度規制部材が前記吸い込みグリルに係止されるので，手で支えなくても，前記吸い込みグリルは前に倒れなくなり，前記開度規制部材と前記吸い込みグリルとを固定する位置がずれないので，前記ネジによる固定作業が極めて簡単となり，また安全性が向上する。
また，前記開度規制部材本体の前記筐体側端部に設けられたガイド突起の断面積は，前記開度規制部材本体の横断面積より小さいことにより，前記ガイド突起を前記筐体に形成された長孔に沿って摺動させたときの接触面積が小さいことから摩擦力が小さく，前記吸い込みグリル開閉の際の操作性が向上する。
さらに，前記開度規制部材が弾性部材であることが好ましい。
なぜなら，前記吸い込みグリルを開閉する際，前記開度規制部材を前記筐体に設けられた長孔に沿って摺動させる際に発生する衝撃を緩和し，スムーズに動かすことができるからである。更に，当該空気調和機が動作することにより発生する各部品の振動を吸収し，前記振動により各部品から発生する音を軽減する効果も期待される。
一方，前記開度規制部材は，前記吸い込みグリルに取り付けられる前記フィルターを略縦方向に案内する縦方向溝部を更に備えてなるものであることが考えられる。
このように，前記開度規制部材に，前記吸い込みグリルに取り付けられる前記フィルターを略縦方向に案内する縦方向溝部が形成されると，前記縦方向溝部に沿って前記フィルターを挿入するだけで前記フィルターを前記吸い込みグリルに取り付けることができ，前記フィルターの取り付け作業が容易になる。
また，当該空気調和機が床置型であることが考えられる。
床置型空気調和機の場合，利用者の手が届き易い位置にあるため，開口部から手を中に挿入し，前記床置型空気調和機の内部に備えられている送風機などの回転ファンに誤って手を巻き込まれることがないよう，利用者がフィルターを交換する際には，前記開度規制部材により第１の開放位置までしか前記吸い込みグリルを開放できない構成にして，安全性を高める必要がある。
【発明の効果】
【０００５】
本発明に係る空気調和機によれば，開度規制部材と吸い込みグリルとを固定するネジをはずしても前記吸い込みグリルが前に倒れてこないし，前記開度規制部材と前記吸い込みグリルを固定する位置がずれないので，前記吸い込みグリル開閉の際の操作性が向上する。
【発明を実施するための最良の形態】
【０００６】
以下添付図面を参照しながら，本発明の実施の形態について説明し，本発明の理解に供する。尚，以下の実施の形態は，本発明を具体化した一例であって，本発明の技術的範囲を限定する性格のものではない。
ここに，図１は本発明の実施の形態に係る空気調和機Ｘの外観模式図，図２は本発明の実施の形態に係る空気調和機Ｘの概略断面図，図３は本発明の実施の形態に係る空気調和機Ｘにおいて吸い込みグリル４を第１の開放位置まで開放した状態の模式図，図４は本発明の実施の形態に係る空気調和機Ｘにおいて吸い込みグリル４を第２の開放位置まで開放した状態の模式図，図５は本発明の実施の形態に係る空気調和機Ｘに備えられた吸い込みグリル４及び開度規制部材１０の拡大図，図６は本発明の実施の形態に係る空気調和機Ｘに備えられた開度規制部材１１の拡大図，図７は本発明の実施の形態に係る空気調和機Ｘに備えられた開度規制部材１０及び開度規制部材１０と係合する長孔Ｆが形成された開度規制部材案内板１２の拡大図，図８は本発明の実施の形態に係る空気調和機Ｘに備えられた開度規制部材１１及び開度規制部材１１と係合する長孔Ｆが形成された開度規制部材案内板１３の拡大図である。
【０００７】
まず，図１，図２，図３の模式図を用いて，本発明の実施の形態に係る空気調和機Ｘの概略構成について説明する。
前記空気調和機Ｘは，空気を吸い込む吸い込み口１と，前記吸い込み口１が設けられた筐体２と，前記吸い込み口１から吸い込まれた異物を除くためのフィルター３と，前記フィルター３を備え前記筐体２の吸い込み口１に開閉自在に設けられた吸い込みグリル４と，前記吸い込みグリル４と前記筐体２とを係止する固定つまみ５と，前記筐体２の内部に設けられ風を送る送風機６と，前記吸い込み口１から吸い込んだ空気を熱交換する不図示の熱交換器７と，前記熱交換器７で熱交換された空気を吹き出す吹出口８と，前記吹出口８から吹き出された空気の方向を決める風向板９と，前記筐体２と前記吸い込みグリル４との開度を規制する１対の開度規制部材１０，１１と，前記筐体２に備えられ前記１対の開度規制部材１０，１１に設けられた突起と嵌入係合し前記吸い込みグリル開閉方向に長い長孔を備えた１対の開度規制部材案内板１２，１３を備えて構成されている。
【０００８】
図１は前記吸い込みグリル４が閉じた状態である。
図１に示すように，前記吸い込み口１は，前記筐体２の前面下部に設けられ，空気を吸い込む開口部である。
前記筐体２は，前面下部に前記吸い込み口１を備え，上面に吹出口８を備え，内部に送風機６と熱交換器７などが入った箱状の構造物からなっている。
図２に示すように，前記フィルター３は，前記吸い込みグリル４に設けられ，前記吸い込みグリル４を開放することにより，前記吸い込みグリル４と前記筐体２との間隙から着脱することが可能なフィルターである。前記フィルター３により，前記吸い込み口１から吸い込まれた塵や埃などの異物が除かれる。
前記吸い込みグリル４は，矩形であり，内側に前記フィルター３を備えている。図１に示すように，前記吸い込みグリル４は，下端が蝶番などにより前記筐体２に開閉自在に取り付けられており，上端は前記固定つまみ５により係止されている。すなわち，前記吸い込みグリル４の上端に備えられた前記固定つまみ５を前記筐体２からはずすと，前記固定された下端を開閉の支点として，前に（図４におけるＰ３方向）開放することができる。また，開放された前記吸い込みグリル４は，図４におけるＰ４方向に閉じることができ，前記固定つまみ５により前記筐体２に係止される。
前記送風機６は，前記熱交換器７により調整された空気を前記吹出口８を通して前記筐体２の外へ送る。
前記送風機６により送られた調整された空気は前記吹出口８から室内に送出される。
その際，前記風向板９により，前記吹出口８から吹き出された空気の方向が決められる。
【０００９】
図５，図６を用いて，前記開度規制部材１０，１１について説明する。
図５に示すように，前記開度規制部材１０には，前記吸い込みグリル４側の端部に，前記吸い込みグリル４に形成された係止突起Ｅと係合する係止孔Ｄが形成されている。また，前記開度規制部材１０は，この開度規制部材１０の本体部分を構成する開度規制部材本体１０Ａと，該開度規制部材本体１０Ａの前記筐体２側の端部に形成され，該開度規制部材本体１０Ａの横断面積よりも小さい断面形状からなるガイド突起１０Ｂとを備えて構成されている。前記ガイド突起１０Ｂは，立上部１０Ｂ１と，突起部１０Ｂ２とを備えて構成されている。前記開度規制部材本体１０Ａには，前記係止孔Ｄと前記ガイド突起１０Ｂとの間に平面視で略Ｚ形状の溝部１０Ａ１が形成されている。前記溝部１０Ａ１は，前記吸い込みグリル４に取り付けられる前記フィルター３を略縦方向（図５におけるＰ５方向）に案内する。
開度規制部材は図３に示すように左右に１対（１０，１１）設けられており，図６に示す開度規制部材１１は，前記開度規制部材１０と同様の構造であり，前記開度規制部材１０と左右対称となっている。
このように，前記開度規制部材１０，１１に，前記吸い込みグリル４に取り付けられる前記フィルター３を略縦方向に案内する縦方向溝部１０Ａ１，１１Ａ１が形成されることにより，前記縦方向溝部１０Ａ１，１１Ａ１に沿って図５，図６におけるＰ５方向に前記フィルター３を挿入するだけで，前記フィルター３を前記吸い込みグリル４に取り付けることができ，前記フィルター３の取り付け作業が容易になる。
前記開度規制部材１０，１１は，樹脂などの弾性部材で構成することができる。
前記開度規制部材１０，１１を弾性部材で構成することで，前記吸い込みグリル４を開閉する際，前記開度規制部材１０，１１を前記開度規制部材案内板１２，１３に形成された長孔Ｆに沿って摺動させる際に発生する衝撃を緩和し，スムーズに動かすことができる。更に，当該空気調和機Ｘが動作することにより発生する各部品の振動を吸収し，前記振動により各部品から発生する音を軽減する効果も奏されよう。
【００１０】
図７を用いて前記開度規制部材案内板１２について説明する。前記開度規制部材案内板１２は前記筐体２側に固定される部材であり，前記吸い込みグリル４の開閉方向（図７におけるＰ１，Ｐ２方向）に長い長孔Ｆが形成されている。前記長孔Ｆには，前記開度規制部材１０に形成された前記ガイド突起１０Ｂが嵌入係合されている。従って，前記開度規制部材１０は，前記ガイド突起１０Ｂを介して前記開度規制部材案内板１２に形成された長孔Ｆに沿って摺動させることができる。前記長孔Ｆの前記吸い込みグリル４側の縁１２Ａまで図７におけるＰ１方向に前記開度規制部材１０を摺動させると，前記開度規制部材１０のガイド突起１０Ｂに形成された立上部１０Ｂ１が縁１２Ａに当接し，前記開度規制部材１０はそれ以上前記吸い込みグリル４側略水平方向（図７におけるＰ１方向）へ摺動させることはできない。これにより，前記吸い込みグリル４が第１の開閉位置で保持され，その位置で開度が規制される。
また，前記突起部１０Ｂ２の幅は，前記吸い込みグリル４側の端部における長孔Ｆの幅より大きいので，前記開度規制部材１０に形成されたガイド突起１０Ｂと前記長孔Ｆとの嵌入係合がはずれることはない。
前記開度規制部材１１についても，図８に示すように前記開度規制部材案内板１３と係合する。
図７，図８に示すように，前記開度規制部材１０，１１に形成されたガイド突起１０Ｂ，１１Ｂの断面積は，前記開度規制部材本体１０Ａ，１１Ａの横断面積より小さいことにより，前記開度規制部材本体１０Ａ，１１Ａを，前記開度規制部材案内板１２，１３に形成された長孔Ｆに沿って摺動させるよりも，接触面積が小さいことから摩擦力が小さく，前記吸い込みグリル４開閉の際の操作性が向上する。
【００１１】
前記筐体２と前記吸い込みグリル４との開度について説明する。
図３において前記吸い込みグリル４が閉じた状態の位置をＡとし，初期状態とする。前記固定つまみ５をはずすと，前記吸い込みグリル４の両端上方に備えられた前記開度規制部材１０，１１の規制により，前記吸い込みグリル４は図３における位置Ａから第１の開放位置である位置Ｂまで，前記固定された下端を開閉の支点として，わずかに開放することができる。
このとき，図５に示すように前記開度規制部材１０に形成された係止孔Ｄと前記吸い込みグリル４に形成された係止突起Ｅとが係合し，更にネジ孔Ｇにおいてネジで固定することにより，前記開度規制部材１０と前記吸い込みグリル４とが連結固定されている。
前記開度規制部材１１についても同様である。
従って，前記開度規制部材１０，１１を前記吸い込みグリル４からはずして前記吸い込みグリル４を第２の開放位置まで開くに際して，ネジ孔Ｇに螺着したネジをはずしても，前記係止孔Ｄと前記係止突起Ｅとが係合しているのでこの状態で手を離しても前記吸い込みグリル４が倒れたりする不都合がなく，作業者の操作性が向上する。また作業が安全である。こうして作業の安全性が確保された状態で，前記係止孔Ｄと前記係止突起Ｅの係合を解除して前記吸い込みグリル４を前記第１の開放位置より大きく開かれた第２の開放位置である図４における位置Ｃまで，前記固定された下端を開閉の支点として，Ｐ３方向に開放することができる。
【００１２】
前記吸い込みグリル４を閉める場合について説明する。
前記開度規制部材１０，１１と前記吸い込みグリル４とをネジ孔Ｇにおいて固定するネジがはずされ図４における位置Ｃまで開放された前記吸い込みグリル４は，前記固定された下端を開閉の支点として，Ｐ４方向に閉められ，図３における位置Ｂで前記開度規制部材１０，１１に形成されている係止孔Ｄと，前記吸い込みグリル４に形成されている係止突起Ｅを係合させることにより，前記開度規制部材１０，１１が前記吸い込みグリル４に係止される。
このように，前記開度規制部材１０，１１に係止孔Ｄが形成され，且つ前記吸い込みグリル４に前記開度規制部材１０，１１に形成された係止孔Ｄと係合する係止突起Ｅが形成されることによって，前記開度規制部材１０，１１と前記吸い込みグリル４とをネジ孔Ｇにおいてネジで固定する前に，前記係止孔Ｄに前記係止突起Ｅを係合させることにより，前記開度規制部材１０，１１が前記吸い込みグリル４に係止されるので，作業者が手で支えなくても前記吸い込みグリル４は前に倒れなくなり，両手でネジによる固定作業を行うことが可能となり，作業者の操作性が向上する。また，作業の安全が確保される。更に，前記開度規制部材１０，１１と前記吸い込みグリル４とを固定する位置がずれないので，極めて簡単にネジによる固定作業を行うことができる。
このように，作業者は，前記開度規制部材１０，１１と前記吸い込みグリル４とが係止した状態で，すなわち作業の安全性が確保された状態で，前記開度規制部材１０，１１と前記吸い込みグリル４に備えられたネジ孔Ｇにおいて，前記開度規制部材１０，１１と前記吸い込みグリル４とをネジで固定する。続いて前記吸い込みグリル４は，前記固定された下端を開閉の支点として，図４におけるＰ４方向に閉じられる。前記吸い込みグリル４は，図３における位置Ａで完全に閉まる。
なお，ここでは，前記開度規制部材１０，１１に係止孔Ｄ，前記吸い込みグリル４に係止突起Ｅが形成されているが，前記開度規制部材１０，１１に係止突起を形成し，前記開度規制部材１０，１１に形成された係止突起と係合する係止孔を前記吸い込みグリル４に形成する構成でもかまわない。
また，前記開度規制部材１０，１１に形成された係止孔Ｄのかわりに，前記吸い込みグリル４に形成された係止突起Ｅと係合するくぼみを前記開度規制部材１０，１１に形成する構成でもかまわない。
【００１３】
また，当該空気調和機Ｘは吸い込みグリルが大型の床置型に適用して好適であるが，もちろんそれ以外の形式の空気調和機に適用してもかまわない。
当該空気調和機Ｘが床置型空気調和機の場合，床置型でない空気調和機と比べて機器は利用者の手が届き易い位置にあるため，前記吸い込み口１などの開口部から手を中に挿入し，前記床置型空気調和機の内部に備えられている送風機６などの回転ファンに誤って手を巻き込まれることがないよう，利用者がフィルター３を交換する際には，前記開度規制部材１０，１１により第１の開放位置までしか前記吸い込みグリル４を開放できない本発明に係る実施の形態のような構成にすれば，安全性を高めることができる。
【図面の簡単な説明】
【００１４】
【図１】本発明の実施の形態に係る空気調和機Ｘの外観模式図。
【図２】本発明の実施の形態に係る空気調和機Ｘの概略断面図。
【図３】本発明の実施の形態に係る空気調和機Ｘにおいて吸い込みグリル４を第１の開放位置まで開放した状態の模式図。
【図４】本発明の実施の形態に係る空気調和機Ｘにおいて吸い込みグリル４を第２の開放位置まで開放した状態の模式図。
【図５】本発明の実施の形態に係る空気調和機Ｘに備えられた吸い込みグリル４及び開度規制部材１０の拡大図。
【図６】本発明の実施の形態に係る空気調和機Ｘに備えられた開度規制部材１１の拡大図。
【図７】本発明の実施の形態に係る空気調和機Ｘに備えられた開度規制部材１０及び開度規制部材１０と係合する長孔Ｆが形成された開度規制部材案内板１２の拡大図。
【図８】本発明の実施の形態に係る空気調和機Ｘに備えられた開度規制部材１１及び開度規制部材１１と係合する長孔Ｆが形成された開度規制部材案内板１３の拡大図。
【符号の説明】
【００１５】
１…吸い込み口
２…筐体
３…フィルター
４…吸い込みグリル
５…固定つまみ
６…送風機
７…熱交換器
８…吹出口
９…風向板
１０，１１…開度規制部材
１２，１３…開度規制部材案内板
【図１】
2007155265.tif 000003
【図２】
2007155265.tif 000004
【図３】
2007155265.tif 000005
【図４】
2007155265.tif 000006
【図５】
2007155265.tif 000007
【図６】
2007155265.tif 000008
【図７】
2007155265.tif 000009
【図８】
2007155265.tif 000010
【手続補正書】
【提出日】平成19年4月4日(2007.4.4)
【手続補正１】
【補正対象書類名】特許請求の範囲
【補正対象項目名】全文
【補正方法】変更
【補正の内容】
【特許請求の範囲】
【請求項１】
空気の吸い込み口が設けられた筐体と，前記筐体に設けられた吸い込み口から吸い込まれた異物を除くためのフィルターを備え，前記筐体の吸い込み口にその下端を支点として開閉自在に設けられた吸い込みグリルと，前記筐体と係合することにより前記筐体と前記吸い込みグリルとを連結し，前記吸い込みグリルが第１の開放位置までしか開かないよう前記筐体と前記吸い込みグリルとの開度を規制する開度規制部材とを含んでなり，前記連結を外すことにより前記規制が解除され，前記第１の開放位置より大きく開放された第２の開放位置まで前記吸い込みグリルを開放することが可能な空気調和機であって，
前記開度規制部材に係止孔又は係止突起が形成され，且つ前記吸い込みグリル上端に前記開度規制部材に形成された係止孔又は係止突起と係合することにより，前記開度規制部材が前記吸い込みグリルに係止する係止突起又は係止孔であって，前記吸い込みグリルの前記上端から前記下端に向かう方向の係止突起又は係止孔が形成され，
前記開度規制部材の端部と，前記吸い込みグリルの上端近傍に前記開度規制部材と前記吸い込みグリルとをネジ固定するためのネジ孔であって，前記吸い込みグリルの前記上端から前記下端に向かう方向のネジ孔が設けられ，
前記開度規制部材は，少なくともその本体と，該開度規制部材本体の前記筐体側端部に設けられ，該開度規制部材本体の横断面積より小さい断面形状からなるガイド突起とを備えてなり，
更に前記筐体に，前記ガイド突起を案内する前記吸い込みグリルの開閉方向の長孔が形成され，前記ガイド突起が前記長孔の端部に当接することにより，前記吸い込みグリルの前記第１の開放位置における開度規制が行われてなることを特徴とする空気調和機。
【請求項２】
前記開度規制部材が弾性部材である請求項１に記載の空気調和機。
【請求項３】
前記開度規制部材が，前記吸い込みグリルに取り付けられる前記フィルターを略縦方向に案内する縦方向溝部を更に備えてなるものである請求項１又は２のいずれかに記載の空気調和機。
【請求項４】
当該空気調和機が床置型である請求項１〜３のいずれかに記載の空気調和機。
【手続補正２】
【補正対象書類名】明細書
【補正対象項目名】０００４
【補正方法】変更
【補正の内容】
【０００４】
前記目的を達成するために本発明は，空気の吸い込み口が設けられた筐体と，前記筐体に設けられた吸い込み口から吸い込まれた異物を除くためのフィルターを備え，前記筐体の吸い込み口にその下端を支点として開閉自在に設けられた吸い込みグリルと，前記筐体と係合することにより前記筐体と前記吸い込みグリルとを連結し，前記吸い込みグリルが第１の開放位置までしか開かないよう前記筐体と前記吸い込みグリルとの開度を規制する開度規制部材とを含んでなり，前記連結を外すことにより前記規制が解除され，前記第１の開放位置より大きく開放された第２の開放位置まで前記吸い込みグリルを開放することが可能な空気調和機であって，
前記開度規制部材に係止孔又は係止突起が形成され，且つ前記吸い込みグリル上端に前記開度規制部材に形成された係止孔又は係止突起と係合することにより，前記開度規制部材が前記吸い込みグリルに係止する係止突起又は係止孔であって，前記吸い込みグリルの前記上端から前記下端に向かう方向の係止突起又は係止孔が形成され，前記開度規制部材の端部と，前記吸い込みグリルの上端近傍に前記開度規制部材と前記吸い込みグリルとをネジ固定するためのネジ孔であって，前記吸い込みグリルの前記上端から前記下端に向かう方向のネジ孔が設けられ，前記開度規制部材は，少なくともその本体と，該開度規制部材本体の前記筐体側端部に設けられ，該開度規制部材本体の横断面積より小さい断面形状からなるガイド突起とを備えてなり，更に前記筐体に，前記ガイド突起を案内する前記吸い込みグリルの開閉方向の長孔が形成され，前記ガイド突起が前記長孔の端部に当接することにより，前記吸い込みグリルの前記第１の開放位置における開度規制が行われてなることを特徴とする空気調和機として構成されている。
このように，前記開度規制部材に係止孔又は係止突起が形成され，且つ前記吸い込みグリルに前記開度規制部材に形成された係止孔又は係止突起と係合する係止突起又は係止孔が形成されることによって，前記開度規制部材と前記吸い込みグリルとをネジで固定する前に，前記係止孔に前記係止突起を係合させることにより，前記開度規制部材が前記吸い込みグリルに係止されるので，手で支えなくても，前記吸い込みグリルは前に倒れなくなり，前記開度規制部材と前記吸い込みグリルとを固定する位置がずれないので，前記ネジによる固定作業が極めて簡単となり，また安全性が向上する。
また，前記開度規制部材本体の前記筐体側端部に設けられたガイド突起の断面積は，前記開度規制部材本体の横断面積より小さいことにより，前記ガイド突起を前記筐体に形成された長孔に沿って摺動させたときの接触面積が小さいことから摩擦力が小さく，前記吸い込みグリル開閉の際の操作性が向上する。
さらに，前記開度規制部材が弾性部材であることが好ましい。
なぜなら，前記吸い込みグリルを開閉する際，前記開度規制部材を前記筐体に設けられた長孔に沿って摺動させる際に発生する衝撃を緩和し，スムーズに動かすことができるからである。更に，当該空気調和機が動作することにより発生する各部品の振動を吸収し，前記振動により各部品から発生する音を軽減する効果も期待される。
一方，前記開度規制部材は，前記吸い込みグリルに取り付けられる前記フィルターを略縦方向に案内する縦方向溝部を更に備えてなるものであることが考えられる。
このように，前記開度規制部材に，前記吸い込みグリルに取り付けられる前記フィルターを略縦方向に案内する縦方向溝部が形成されると，前記縦方向溝部に沿って前記フィルターを挿入するだけで前記フィルターを前記吸い込みグリルに取り付けることができ，前記フィルターの取り付け作業が容易になる。
また，当該空気調和機が床置型であることが考えられる。
床置型空気調和機の場合，利用者の手が届き易い位置にあるため，開口部から手を中に挿入し，前記床置型空気調和機の内部に備えられている送風機などの回転ファンに誤って手を巻き込まれることがないよう，利用者がフィルターを交換する際には，前記開度規制部材により第１の開放位置までしか前記吸い込みグリルを開放できない構成にして，安全性を高める必要がある。